(57)【要約】      （修正有）【課題】効果的に流路の経路を増加させ、磁化効果を向上させることができる水質改善用の水通過ユニットを提供する。【解決手段】水質改善用の水通過ユニットは、前後両端面にそれぞれラビュリントス流路５が備えられ、且つ両ラビュリントス流路５が前後に基台２を貫通する少なくとも一つの貫通ポートを介して連通している基台２と、基台２の前端面に取付けられるフロントケース１であって、フロントケース１に基台２の前端面のラビュリントス流路５に連通する入水通路１０が開設され、かつフロントケース１の内部に第１磁気部材が嵌合されているフロントケース１と、基台２の後端面に取り付けられるリアケース３であって、リアケース３に基台２の後端面のラビュリントス流路５に連通する出水通路４が開設され、かつリアケース３の内部に第２磁気部材が嵌合されているリアケース３と、を含み、第１磁気部材と第２磁気部材とは、相互に磁極が反対となって、かつ対向設置されている。【選択図】図２
0003230658.tif 000002
【実用新案登録請求の範囲】
【請求項１】
水質改善用の水通過ユニットであって、
前後両端面にそれぞれラビュリントス流路５が備えられ、且つ両ラビュリントス流路５
が前後に基台２を貫通する少なくとも一つの貫通ポート９を介して連通している基台２と
、
基台２の前端面に取付けられるフロントケース１であって、フロントケース１に基台２
の前端面のラビュリントス流路５に連通する入水通路１０が開設され、かつフロントケー
ス１の内部に第１磁気部材が嵌合されているフロントケース１と、
基台２の後端面に取り付けられるリアケース３であって、リアケース３に基台２の後端
面のラビュリントス流路５に連通する出水通路４が開設され、かつリアケース３の内部に
第２磁気部材が嵌合されているリアケース３と、を含み、
第１磁気部材と第２磁気部材とは、相互に磁極が反対となって、かつ対向して設置され
ている、
ことを特徴とする水質改善用の水通過ユニット。
【請求項２】
ラビュリントス流路５は全体として、基台２の中心位置から、基台２における外縁に接近
する位置まで、螺旋状を呈している、
ことを特徴とする請求項１に記載の水質改善用の水通過ユニット。
【請求項３】
貫通ポート９は基台２における外縁に接近する位置に貫通的に開設しており、かつ両ラビ
ュリントス流路５のエンド端部と連通している、
ことを特徴とする請求項２に記載の水質改善用の水通過ユニット。
【請求項４】
フロントケース１の中央位置に前後貫通的に入水通路１０が開設形成され、リアケース３
の中央位置に前後貫通的に出水通路４が開設形成されるとともに、入水通路１０と出水通
路４がそれぞれ両ラビュリントス流路５のスタート端部に接続している、
ことを特徴とする請求項３に記載の水質改善用の水通過ユニット。
【請求項５】
第１磁気部材と第２磁気部材はいずれも、全体としてカップ状の軟鉄リング７と、軟鉄リ
ング７の開口側から軟鉄リング７内に組込み、円環状を呈する軟ネオジム鉄ホウ素永久磁
石６と、軟ネオジム鉄ホウ素永久磁石６と軟鉄リング７との間に位置する位置決め隔離部
材８とを含む、
ことを特徴とする請求項１又は４に記載の水質改善用の水通過ユニット。
【請求項６】
両軟ネオジム鉄ホウ素永久磁石６は、相互に対向しかつ対称的に設置され、かつ磁極が反
対となっている、
ことを特徴とする請求項５に記載の水質改善用の水通過ユニット。
【請求項７】
位置決め隔離部材８は一体的にフロントケース１およびリアケース３の内部に形成される
環状の止めリングである、
ことを特徴とする請求項６に記載の水質改善用の水通過ユニット。
【考案の詳細な説明】
【技術分野】
【０００１】
本実用新案は、水質改善装置の技術分野に属し、特に水質改善用の水通過ユニット機に属
する。
【従来の技術】
【０００２】
経済社会の発展に伴って、生活用水の品質に対する要求が高まりつつある。現在、市場で
は蛇口の内部に磁石を二つ設けて、流れている水を磁化する設計があり、磁化水の機能を
発揮し、より健康的な水資源を得ることができる。しかしながら，流れの速度が速すぎて
流路が短いため，磁化効果は一般的に良くない。
【考案の概要】
【０００３】
この実用新案の目的は、既存の技術の不足に対して、流れを磁化し，流れを効果的に増加
させることができるようにするための，水質を改善するための水質改善用の水通過ユニッ
トを提供することにある。
上記の目的を実現するために、本考案は以下の技術案を採用している。
【０００４】
水質改善用の水通過ユニットは、
前後両端面にそれぞれラビュリントス流路５が備えられ、且つ両ラビュリントス流路５
が前後に基台２を貫通する少なくとも一つの貫通ポート９を介して連通している基台２と
、
基台２の前端面に取付けられるフロントケース１であって、フロントケース１に基台２
の前端面のラビュリントス流路５に連通する入水通路１０が開設され、かつフロントケー
ス１の内部に第１磁気部材が嵌合されている前記フロントケース１と、
基台２の後端面に取り付けられるリアケース３であって、リアケース３に基台２の後端
面のラビュリントス流路５に連通する出水通路４が開設され、かつリアケース３の内部に
第２磁気部材が嵌合されている前記リアケース３と、を含み、
第１磁気部材と第２磁気部材とは、相互に磁極が反対となって、かつ対向設置されてい
る。
【０００５】
好ましくは、ラビュリントス流路５は全体として、基台２の中心位置から、基台２におけ
る外縁に接近する位置まで、螺旋状を呈している。
【０００６】
好ましくは、貫通ポート９は基台２における外縁に接近する位置に貫通的に開設しており
、かつ両ラビュリントス流路５のエンド端部と連通している。
【０００７】
好ましくは、フロントケース１の中央位置に前後貫通的に入水通路１０が開設形成され、
リアケース３の中央位置に前後貫通的に出水通路４が開設形成されるとともに、入水通路
１０と出水通路４がそれぞれ両ラビュリントス流路５のスタート端部に接続している。
【０００８】
好ましくは、第１磁気部材と第２磁気部材はいずれも、全体としてカップ状の軟鉄リング
７と、軟鉄リング７の開口側から軟鉄リング７内に組込み、円環状を呈する軟ネオジム鉄
ホウ素永久磁石６と、軟ネオジム鉄ホウ素永久磁石６と軟鉄リング７との間に位置する位
置決め隔離部材８とを含む。
【０００９】
好ましくは、両軟ネオジム鉄ホウ素永久磁石６は、相互に対向しかつ対称的に設置され、
かつ磁極が反対となっている。
【００１０】
好ましくは、位置決め隔離部材８は一体的にフロントケース１およびリアケース３の内部
に形成される環状の止めリングである。
【００１１】
本実用新案の有利な効果は下記の通りである。
このように構成されると、前記水質改善用の水通過ユニットにおいて、基台２、フロント
ケース１、リアケース３、ラビュリントス流路５、および両磁気部材によって、水流を、
入水通路１０を介してラビュリントス流路５に進入させて、さらに出水通路４を介して流
出させることによって、両磁気部材によって通過する水流を磁化させることで、健康的な
水を得ることができ、そして、ラビュリントス流路５によって効果的に流路の経路を増加
させ、磁化効果を向上させることができる。
【図面の簡単な説明】
【００１２】
【図１】本考案による水質改善用の水通過ユニットの斜視図である。
【図２】本考案による水質改善用の水通過ユニットの分解図である。
【図３】本考案による水質改善用の水通過ユニットの別の視点の分解図である。
【図４】本考案の水質改善用の水通過ユニットの立体断面図である。
【図５】本考案の水質改善用の水通過ユニットのベースの斜視図である。
【考案を実施するための形態】
【００１３】
以下では、本実用新案の実施形態について詳細に説明する。本実施形態の実施例は、同じ
または同様の符号が、同じまたは同様の要素または同様の機能を有する要素を示す図面に
示されている。以下、添付図面を参照して説明する実施形態は、本考案を説明するための
例示であり、本考案に対する制限としては理解できない。
【００１４】
図１〜５に示すように、本実施例において提供される水質改善用の水通過ユニットは、前
後両端面にそれぞれラビュリントス流路５が備えられ、且つ両ラビュリントス流路５が前
後に基台２を貫通する少なくとも一つの貫通ポート９を介して連通している基台２と、基
台２の前端面に取付けられるフロントケース１であって、フロントケース１に基台２の前
端面のラビュリントス流路５に連通する入水通路１０が開設され、かつフロントケース１
の内部に第１磁気部材が嵌合されている前記フロントケース１と、基台２の後端面に取り
付けられるリアケース３であって、リアケース３に基台２の後端面のラビュリントス流路
５に連通する出水通路４が開設され、かつリアケース３の内部に第２磁気部材が嵌合され
ている前記リアケース３と、を含む。
【００１５】
また、第１磁気部材と第２磁気部材とは、相互に磁極が反対となって、かつ対向設置され
ている。
【００１６】
このように構成されると、前記水質改善用の水通過ユニットにおいて、基台２、フロント
ケース１、リアケース３、ラビュリントス流路５、および両磁気部材によって、水流を、
入水通路１０を介してラビュリントス流路５に進入させて、さらに出水通路４を介して流
出させることによって、両磁気部材によって通過する水流を磁化させることで、健康的な
水を得ることができ、そして、ラビュリントス流路５によって効果的に流路の経路を増加
させ、磁化効果を向上させることができる。
【００１７】
好ましくは、ラビュリントス流路５は全体として、基台２の中心位置から、基台２におけ
る外縁に接近する位置まで、螺旋状を呈している。さらに、貫通ポート９は基台２におけ
る外縁に接近する位置に貫通的に開設しており、かつ両ラビュリントス流路５のエンド端
部を連通していることで、全体の流路を最大まで構成させる。さらにフロントケース１の
中央位置に前後貫通的に入水通路１０が開設形成され、リアケース３の中央位置に前後貫
通的に出水通路４が開設形成されるとともに、入水通路１０と出水通路４がそれぞれ両ラ
ビュリントス流路５のスタート端部に接続していることで、流路が最大にされている。
【００１８】
より好ましくは、第１磁気部材と第２磁気部材はいずれも、全体としてカップ状の軟鉄リ
ング７と、軟鉄リング７の開口側から軟鉄リング７内に組込み、円環状を呈する軟ネオジ
ム鉄ホウ素永久磁石６と、軟ネオジム鉄ホウ素永久磁石６と軟鉄リング７との間に位置す
る位置決め隔離部材８とを含む。軟鉄製のカップ状の軟鉄リング７は、磁気シールドと磁
場強化の機能を発揮できるので、軟ネオジム鉄ホウ素永久磁石における軟鉄に包まれてい
ない面（即ち、ラビュリントス流路５に面する動作面）の磁場を強化することができる。
軟鉄リング７のいずれの外面はほとんど磁場を有しない。両軟ネオジム鉄ホウ素永久磁石
６は、相互に対向しかつ対称的に設置され、かつ磁極が反対となっている。位置決め隔離
部材８は一体的にフロントケース１およびリアケース３の内部に形成される環状の止めリ
ングとしているが、別途で添設したプラスチックリングであってもよい。周方向の位置き
めおよび、軟ネオジム鉄ホウ素永久磁石と軟鉄との隔離機能を発揮する。
【００１９】
また、水通過ユニットは、全体として円柱状としているが、これに限られるものではない
。具体的に、例えば濾水器、蛇口、バルブなどに組み立てられればよい。それに流れる液
体の磁化が実現できる。基台２とフロント・リアケース３との間の接続は、直接的な粘着
や、係合、締合などでも適用できる。
【００２０】
上記は本実用新案のより良い実施形態にすぎず、本実用新案については限定的ではなく説
明的である。技術者は、本実用新案請求の範囲に限定された精神及び範囲内において、そ
れらを多くの変更、修正、さらには同等にすることができるが、本実用新案の保護範囲内
にあることを理解すべきである。
【図１】
0003230658.tif 000003
【図２】
0003230658.tif 000004
【図３】
0003230658.tif 000005
【図４】
0003230658.tif 000006
【図５】
0003230658.tif 000007